(57)【要約】【課題】一体成型により簡単に製造することができ、楽譜がめくれないように保持することができる実用性のある安価な譜面台を提供すること。【解決手段】この譜面台は、金型合わせやスライド金型を用いることにより、板状の背面部（背面板）１、底部（底板）２及びストッパー部３を合成樹脂で一体成型することができる。また、この譜面台の利用時には、背面部１により楽譜を背面から支持し、背面部１の下端から前方に向かって設けられた底部２により楽譜の重量を下部から支えると共に、底部２の前端から上方に延びるストッパー部３は、楽譜の前面下部を効果的に保持する譜面ストッパーとして機能する。また、底部２或いは背面部１の下部にストッパー部３に対応して形成された開口Ｈは、ほこり等の異物を除去するのに役立ち、ストッパー部３或いは楽譜の背後に隠れるのであまり美観を損ねない。【選択図】図２
2008086379.tif 000002
【特許請求の範囲】
【請求項１】
楽譜の背面を支持するための板状の背面部と、
楽譜の下部を支持するために背面部の下端から前方向に延びる板状の底部と、
楽譜の前面下部を保持するために底部の前端から上方向に延びる板状のストッパー部と
から成り、
これら背面部、底部及びストッパー部が合成樹脂で一体成型されている
ことを特徴とする譜面台。
【請求項２】
前記ストッパー部は複数の板状体で構成され、前記底部には開口が形成されていることを特徴とする請求項１に記載の譜面台。
【請求項３】
前記背面部の下部には開口が形成されていることを特徴とする請求項１又は２に記載の譜面台。
【発明の詳細な説明】
【技術分野】
【０００１】
この発明は、譜面ストッパーと共に一体成型した譜面台に関する。
【背景技術】
【０００２】
従来より、小型のキーボードや電子楽器などの楽器に付属する取り外し可能な簡易構造の譜面台は、例えば、特許文献１，２に示されるように、プラスチックの一体成型品で構成するものが知られている。
【特許文献１】特開平１１−２７２２５８号公報
【特許文献２】特開平１１−２７２２５９号公報
【０００３】
図１は、従来技術による譜面台の構造を説明するための図である。図１〔１〕に示す従来技術１では、（１ａ）に示すように、パーティング面を譜面台の主面即ち背面板の板面に合わせた上下の金型を用いて、プラスチックで一体成型された譜面台を作製することができる。この譜面台は、楽譜が載置される背面板と底部がＬ字状の断面をもって結合され、利用時には、（１ｂ）に示すように、背面板で楽譜を背面から支持しつつ底部で楽譜の重量を支える。この場合、楽譜が厚い本を使用するときは、（１ｂ）左側に矢印Ａで示すように、ページが勝手にめくれてしまい、薄い楽譜のときには、（１ｂ）右側に矢印Ｂで示すように、楽譜が曲がってずり落ちてしまうという事態が生じる。
【０００４】
そこで、図１〔２〕に示す従来技術２のように、金型の形状と抜き方向を工夫して少しでも底部の前端が楽譜の最下端に引っかかるような構造にすることが考えられる。つまり、従来技術２では、特許文献１，２と同様に、成型する譜面台の主面を上下金型のパーティング面に対して傾斜させ、上金型の抜き方向までの角度で引っかかり部を成型して、譜面台の底部前端に設けた引っかかり部により、楽譜がずり落ちないようにする。しかしながら、この方法では、底部に対する引っかかり部の角度を小さくするにつれて金型は厚く大きく重くなるので、引っかかり形状に限界があり、十分な楽譜保持効果が得らない。
【０００５】
このように、従来の譜面台一体成型技術では、金型で成型するという制約上、十分に楽譜を保持することができる部材を譜面台底部に設けることができないので、楽譜が落ちやすい、本の楽譜はページが戻りやすい、などの不具合を解消することができない。
【発明の開示】
【発明が解決しようとする課題】
【０００６】
この発明は、このような事情に鑑み、一体成型により簡単に製造することができ、楽譜がめくれないように保持することができる実用性のある安価な譜面台を提供することを目的とする。
【課題を解決するための手段】
【０００７】
この発明の主たる特徴に従うと、楽譜の背面を支持するための板状の板状の背面部（背面板１）と、楽譜の下部を支持するために背面部（１）の下端から前方向に延びる板状の底部（底板２）と、楽譜の前面下部を保持するために底部（２）の前端から上方向に延びる板状のストッパー部（３：３ａ，３ｂ；３ｃ；３ｄ）とから成り、これら背面部（１）、底部（２）及びストッパー部（３）が合成樹脂で一体成型されている譜面台〔請求項１〕が提供される。なお、括弧書きは、理解の便のために付記した実施例の参照記号、用語等を表わし、以下においても同様である。
【０００８】
この発明による譜面台において、ストッパー部（３）は複数の板状体で構成され、底部（２）には開口（Ｈ）が形成される〔請求項２〕ように構成することができる。また、背面部（背面板１）の下部には開口（Ｈ）が形成される〔請求項３〕ように構成することができる。
【発明の効果】
【０００９】
この発明の主たる特徴に従う譜面台（請求項１）は、板状の背面部（背面板１）、底部（底板２）及びストッパー部（３）が合成樹脂で一体成型されて構成され、利用時には、背面部（１）により楽譜を背面から支持し、底部（２）により、楽譜の重量を下部から支えると共に、底部（２）の前端から上方向に延びるストッパー部（３：３ａ，３ｂ；３ｃ；３ｄ）は、楽譜の前面下部を効果的に保持する譜面ストッパーとして機能し、この譜面ストッパー構造は、金型合わせやスライド金型を用いることにより簡単に得られる。従って、この発明によれば、一体成型により簡単に製造することができ、楽譜がめくれないように保持することができる実用性のある安価な譜面台を提供することができる。
【００１０】
この発明による譜面台においては、ストッパー部（３：３ａ，３ｂ；３ｃ；３ｄ）を複数の板状体で構成し、底部（２）には開口（Ｈ）が形成されるように構成される（請求項２）。従って、この発明によれば、譜面台利用時に、楽譜下部の要所を的確に保持し、底部に溜まったほこり等の異物を開口から簡単に除去することができる。また、金型合わせ等により、ストッパー部（３）の背後に開口（Ｈ）を形成することができ、あまり美観を損ねないようにすることができる。
【００１１】
この発明による譜面台においては、また、背面部（背面板１）の下部には開口（Ｈ）が形成されるように構成される（請求項３）。従って、この発明によれば、底部に溜まったほこり等の異物を背面部下部の開口から簡単に除去することができ、譜面台利用時には、背面部下部の開口は楽譜の背後に隠れるのであまり美観を損ねない。
【発明を実施するための最良の形態】
【００１２】
以下、図面を参照しつつ、この発明の好適な実施の形態について詳述するが、これは単なる一例であって、この発明の精神を逸脱しない範囲で種々の変更が可能である。
【００１３】
〔譜面台の基本構成〕
従来技術の説明で述べたような簡易構造の譜面台では、底部から上方向に十分な高さを有するストッパーを一体成型で突出させることにより、好ましい楽譜保持効果を得るようにすることが考えられる。しかしながら、十分に楽譜保持効果のある譜面ストッパーを譜面台に設けようとすると、ストッパーには或る程度の大きさが必要になるため、別部品の棒状などのストッパー部品を譜面台本体に取り付ける組立て方式を採用してストッパー付きの譜面台を作製することになる。しかしながら、このような組立て方式では、部品点数が多くなるだけでなく、構造が複雑になり、重量の増加、コストアップ等を伴うので、安価な譜面台モデルでは実現することができない。
【００１４】
そこで、同等の効果のある譜面ストッパーを譜面台と一体成型するものとすると、例えば、図１（１ａ）と同様に上下の金型間の水平な樹脂充填部で譜面台の背面部を形成するようにした上下金型の合わせ構造では、ストッパーに対向する位置に譜面台の底部と背面部が存在するので、ストッパーと譜面台の底部及び背面部との間の空間は上金型の抜き方向に対してアンダーカットになってしまい、何らかの工夫をしなければ、ストッパーを譜面台と一体成型することはできない。
【００１５】
これに対処するために、この発明の一実施例では、金型合わせの凸状部或いはスライド金型により、このようなアンダーカットの部分を作り出して譜面ストッパーを形成することができる。図２〜図４は、この発明の一実施例による譜面台の基本的な構成を示す。
【００１６】
〔１〕第１の基本構造
第１の基本構造では、図２〔２〕に示されるように、譜面台を構成する板状の背面部（背面板）１、底部（底板）２、ストッパー部３、連結部４及び脚部５が合成樹脂で一体成型され、背面部１の下端から前方に設けられた底部２の前端には、上方に延びる複数のストッパー部３が適当な間隔で設けられ、底部２及び背面部１のストッパー部３に対向する部分には開口Ｈが形成される。ここで、ストッパー部３は、譜面ストッパーとして機能するために、楽譜の下部を保持するのに十分な高さ（上下方向）と幅（左右方向）を有し、しかも、できるだけユーザ（演奏者）によるページめくりに支障がないような高さに選定される。なお、譜面台の方向については、図中の矢印のように、設置時の譜面台に対してユーザが図２〔２〕右側の左側から背面部１を正視した時の方向で表わすものとする。
【００１７】
このような譜面台構造は、典型的には、図２〔１〕に示されるように、金型合わせの凸状部を利用することにより実現することができる。図２〔１〕は、合成樹脂を充填した組合せ状態の上下金型に対して、ストッパー部３を上下に通りパーティング面（背面板１の表面、裏面或いは中間の面＝主面に一致）に垂直な面で切った断面を示し、ストッパー部３が形成されない他の箇所については図１（１ａ）と同様の断面となる。下金型の上部は、図示のように、ストッパー部３を形成する箇所が凸状を呈し、上金型は、これに対応する下部箇所が凹状を呈する。つまり、ストッパー部３を形成しようとする箇所では、本来、ストッパー部３と底部２及び背面部１（図示破線部）との間にアンダーカット部ＵＣが生じるが、この金型合わせ構造では、このアンダーカット部ＵＣは下金型の凸状部で補充され、ストッパー部３を形成することができる。また、この箇所では、底部２と背面部３が形成されず、開口部Ｈとなる。
【００１８】
第１の基本構造によると、図２〔２〕に示すように、底部２前端の所望箇所に十分な大きさを持った複数のストッパー部３が形成された譜面台が得られるので、電子楽器などの上面パネルの譜面台支持溝に脚部５を挿入してこの譜面台を使用する際には、楽譜の要所を的確に保持し、楽譜のめくれや脱落を防止することができる。また、底部２及び背面部１のストッパー部３に対向する部分には開口Ｈが形成されるので、ほこり等の異物が溜まったときには開口Ｈから簡単に除去することができる。さらに、開口Ｈは、上述した金型合わせの利用でストッパー部３に対応する底部２の位置に簡単に形成することができ、使用時には、ストッパー部３の背後に位置するので、あまり美観を損ねないようにすることができる。
【００１９】
なお、この譜面台の使用時には、図２〔２〕のように、背面部１は、垂直方向からやや傾けられて、楽譜を背後（背面）から支持すると共にユーザが楽譜を見やすくし、底部２は、水平面に並行或いは水平面からやや傾けられ（背面部１とは直角以上で設置）、譜面台に載置された楽譜の重量を下部から支える。また、底部２の前端に設置されるストッパー部３は、図示の例では背面部１と略並行に形成されているが、この設置角度よりも若干開いた状態にして分厚い楽譜を容易に載置することができるようにしてもよいし、後述するように、閉じた状態にして薄い楽譜でも的確に保持するようにしてもよい。さらに、ストッパー部３は、１つでもよいが、開口部Ｈの形成が伴うため左右方向の幅が制限されるので、複数ある方が楽譜支持効果の点で好ましい。
【００２０】
第１の基本構造は、図３に示すように、スライド金型を利用したスライド式金型構造によって実現することもできる。スライド式金型構造においては、ストッパー部３を形成する箇所では、図３〔１〕に示すように、上金型との間でストッパー部３及び底部２を形成するために断面が台形状を呈し、上述したアンダーカット部ＵＣがスライド金型ＳＤａで補充される。また、他の箇所では、図３〔２〕に示すように、下金型との間で底部２及び背面部１（図示破線部）を形成するために断面が略平行四辺形状を呈するスライド金型ＳＤａが用意される。成型の際には、斜めスライドやシリンダーなどにより、上下金型間に形成されたスライド空間にスライド金型ＳＤａを挿入し図示左方向にスライドさせて図示位置に定置し、成型の後は、スライド金型ＳＤａを図示右方向にスライドさせる。
【００２１】
図３のスライド式金型構造によると、図２〔２〕のように、底部２前端の所望箇所に複数のストッパー部３が形成された譜面台を作製することができると共に、底部２のストッパー部３に対向する部分には開口Ｈを形成することができる。
【００２２】
なお、図３のように、背面板１の上下方向（図３〔１〕では左右方向）にスライドさせる（「縦方向スライド方式」という）金型構造では、基本的に、ストッパー部３の形成と開口部Ｈの形成とは独立しているので、図２〔２〕の通りにストッパー部３や開口部Ｈを形成しなくてもよく、例えば、ストッパー部３の形成箇所に関係なく、底部２の要所に開口部Ｈを形成することができる。また、背面板１については、図２〔２〕のようにストッパー部３に対向して開口部Ｈ（図３〔１〕の破線部に対応する）設けてもよいし、設けてなくてもよい。
【００２３】
〔２〕第２の基本構造
第２の基本構造では、図４〔２〕に示されるように、譜面台を構成する板状の背面部（背面板）１、底部（底板）２、ストッパー部３、連結部４及び脚部５を合成樹脂で一体成型され、背面部１の下端から前方に延びる底部２の前端には、幅広で強度に優れた１乃至複数（図示例では１）のストッパー部３が上方に向かって設置され、必要に応じて、底部２に開口が形成される。この譜面台構造は、典型的には、図３や図４〔１〕のようなスライド金型を利用することにより実現することができる。
【００２４】
例えば、図３の縦方向スライド方式においては、底部２前端の１乃至複数（図示例では１）の所望箇所にストッパー部３を形成することにより、第２の基本構造を実現することができる。しかしながら、このような縦方向スライド方式では、ストッパー部３の設置角度を背面板１の上下方向に並行な角度以下（閉じた角度）にして、ストッパー部３の先端を背面板１に近づけるようにすることができない。そこで、このような場合には、図４〔１〕に示されるような横方向スライド方式を用いる。
【００２５】
図４〔１〕は、横方向スライド方式の金型構造について、ストッパー部３を形成する箇所の断面を示す。この金型構造では、下金型との間で底部２及び背面部１（図３〔１〕の破線部に相当）を形成し、上金型との間でストッパー部３を形成するために断面が略平行四辺形状を呈するスライド金型ＳＤｂが用意される。また、上金型には、ストッパー部３を形成する箇所に、図４〔１〕に示すように、スライド金型ＳＤｂとの間で当該ストッパー部３を形成するための樹脂充填部が形成され、下金型については、必要に応じて、底部２を形成せず開口部を設けたい箇所で直接スライド金型ＳＤｂに接触する構造にする。
【００２６】
成型の際には、上下金型間に形成されたスライド空間にスライド金型ＳＤｂを背面板１の左又は右方向（図４〔１〕で紙面に垂直な方向）にスライドさせて定置し、成型後は、スライド金型ＳＤに逆方向にスライドさせる（「横方向スライド方式」という）。
【００２７】
第２の基本構造によると、図２〔２〕にストッパー部３を１つとした極端な例で示すように、左右方向の幅が広く十分な高さを持った１乃至複数のストッパー部３が底部２前端の所望箇所に強固に形成された譜面台が得られるので、電子楽器などの上面パネルの譜面台支持溝に脚部５を挿入してこの譜面台を使用する際には、分厚い楽譜本でもしっかりと保持し、楽譜のめくれや脱落を防止することができる。また、底部２には、ストッパー部３の設置箇所に拘わらず、清掃等に適した任意箇所に開口部Ｈを形成することができる。
【００２８】
このように、この発明の一実施例による譜面台では、金型合わせやスライド金型を用いることにより、板状の背面部（背面板）１、底部（底板）２及びストッパー部３を合成樹脂で一体成型することができるので、製造工程を少なくして、部品点数が少なく耐久性のある安価な譜面台を作製することができる。この譜面台の利用時には、背面部１により楽譜を背面から支持し、背面部１に下端から前方に向かって設けられた底部２により楽譜の重量を下部から支えると共に、底部２の前端から上方に延びるストッパー部３は、楽譜の前面下部を効果的に保持する譜面ストッパーとして機能する。また、底部２或いは背面部１の下部にストッパー部３に対応して形成された開口Ｈは、ほこり等の異物を除去するのに役立ち、ストッパー部３或いは楽譜の背後に隠れるのであまり美観を損ねない。
【００２９】
以上、この発明の一実施例による譜面台の基本構造について説明したが、製品として提供される譜面台は、全面が一体成型されたワンピース構造であっても、中央部で半分に折れる複数ピースの組立て式であっても構わない。要するに、この譜面台の特徴は、譜面台の背面部、底部及びストッパー部が一体に成型されていることにある。
【００３０】
〔ストッパー部の他の構成例〕
この発明の一実施例による譜面台では、上述した基本構造を元にしてストッパー部の構造を種々に変形した態様で実施することができる。図５は、この発明の一実施例による譜面台ストッパーの他の構造例を示す。
【００３１】
図５〔１〕に示される譜面台は、楽譜の乗る背面部１、楽譜の重量を支える底部２及び楽譜の載置を保持するストッパー部３が樹脂で一体に成型されると共に、ストッパー部３が、底部２に接続された支持部３ａと支持部３ａの端部から背面部１に延びる突出部３ｂとから構成され、例えば、図２〔１〕の金型合わせ又は図４〔１〕の横方向スライド金型を用いることにより作製することができる。
【００３２】
この譜面台は、図５〔１〕右側に示すように、譜面台を単に立たせてているだけでは楽譜のページが滑ってしまうので、ストッパー部３に突出部３ｂを作ることにより、接触面積を減らすことで単位面積当たりにかかる力を強くし、更に楽譜が滑りにくくなるようにしたものである。つまり、楽譜のページが浮き上がろうとすると、突出部３ｂによりページを抑える力が集中し、ストッパー３と楽譜間のすべりを抑制する。
【００３３】
なお、図５〔１〕左側には、複数のストッパー部３を持ち、底部２のストッパー部３対向部分に開口部Ｈが形成される第１の基本構造を持つ譜面台が示されているが、１乃至複数のストッパー部３を持ち開口部Ｈを底部２に任意に形成可能な第２の基本構造を持つ譜面台についても、図５〔１〕に示す突出部付きストッパーの実施態様を適用することができる。また、次に図５〔２〕，〔３〕で説明する傾斜付き及び滑り止め付きストッパーの実施態様も、同様に、第１及び第２の基本構造を持つ譜面台に適用することができる。
【００３４】
図５〔２〕に示される譜面台では、背面部１、底部２及びストッパー部３が樹脂で一体に成型されると共に、ストッパー部３が全体的に背面部１側に傾斜している。この譜面台は、例えば、図２〔１〕の金型合わせ又は図２〔１〕の横方向スライド金型を用いることにより作製することができる。ストッパー部３が背面部１の板面に対して平行或いは開いた状態であると、例えば、楽譜の閉じようとする力でページが曲がり、するりとストッパー部３を乗り越えてしまい易いが、この譜面台構造例のように、ストッパー部３の先端が背面部１に向かう（閉じた状態になる）ようにストッパー部３の設置角度に傾斜を付けることにより、楽譜のページがストッパーを乗り越えないようにすることができる。
【００３５】
図５〔３〕に示される譜面台では、背面部１、底部２及びストッパー部３が樹脂で一体に成型されると共に、楽譜の滑り止めのために、ストッパー部３の背面部１側の面（裏面）の一部または全部に凹凸が設けられる。この譜面台は、ストッパー部３の設置角度が背面部１の板面に対して平行或いは開いている場合には、例えば、図２〔１〕の金型合わせや図３及び図４〔１〕のスライド金型を用いることにより作製することができる。
【００３６】
つまり、通常、樹脂成型品は、何らの加工もなされないと、表面がツルツルとしているので、単にストッパー部３を設けるだけでは楽譜が滑り易い。そこで、楽譜と接触するストッパー部３裏面の一部または全面に、シボや筋（スジ）、突起などの凹凸を施すことにより、ストッパー部３裏面に強い滑り止め機能を与えて楽譜がストツパー部３を乗り越えるのを防止する。なお、図５〔３〕に示すように、ストッパー部３が閉じた角度で設置された傾斜付き譜面台（図５〔２〕）にこの滑り止め機能を適用すると、楽譜保持機能を更に増大させることができる。
【００３７】
〔ストッパーの可変構造化〕
この発明の一実施例による譜面台では、樹脂成型の段階でストッパー部を揺動可能に形成することができる。ユーザが実際に譜面台を使用する際には、ストッパーは常に必要ではない。例えば、硬い紙に印刷された一枚楽譜などの場合はストッパーが無くても問題は無く、かえって無い方が使い易いこともある。そこで、ストッパーを譜面台に一体成型するときに、種々の態様で、揺動可能な薄肉の支点部も一体成型した可変ストッパー構造にすると、必要な時にストッパーを立てて使い、必要の無い時にはストッパーをしまうというように、使い勝手を向上することができる。図６は、この発明の一実施例による譜面台ストッパーの可変構造化の一例を示す。なお、図６の各側面図（断面図）において、背面部１の主面が譜面台作製時のパーティング面となり、上下金型の抜き方向は太い矢印で表わされ、この譜面台作製条件は、後述する図７においても同様である。
【００３８】
図６（１）の例では、ストッパー部３は、ストッパー本体３Ｍとストッパー支持体３Ｂから成り、ストッパー本体３Ｍは、左右方向からみたストッパー全体の断面がＬ字状を呈するように、ストッパー支持体３Ｂの一端に連結されており、ストッパー支持体３Ｂの反対側の端縁は、底部２の後端縁と薄肉連結部（図示の「一体成型支点」）で連結されている。譜面台の作製時には、図６（１）右側に示すように、背面部１に沿ってストッパー部３が一体成型され、ストッパー部３のストッパー支持体３Ｂは背面部１の主面にほぼ並行している。ここで、ストッパー支持体３Ｂは、背面部１に対し、その主面と一致させても図示のように若干の距離を隔ててもよいし、完全に並行でなくストッパー本体３Ｍが開口部Ｈ側に寄ってもよい。また、ストッパー支持体３Ｂの一端からほぼ垂直にストッパー本体３Ｍが後方に延び、ストッパー支持体３Ｂの他端縁は底部２の後端縁と薄肉連結部で連結されている。さらに、背面部１の下部には開口部Ｈが形成され、底部２の上面には、ストッパー支持体３Ｂを受け入れるための薄い凹部が形成される。
【００３９】
ストッパー使用時には、細い矢印のように、底部２の後端縁に一体成型された薄肉連結部を支点としてストッパー部３を前方（ユーザからみて手前）に倒して底部２の凹部にストッパー支持体３Ｂを嵌入すると、図６（１）左側に示すように、底部２とストッパー支持体３Ｂの上面が一致し、ストッパー支持体３Ｂの前端にしっかりと固定されたストッパー本体３Ｍが底部２の前端から上方に直立する。例えば、本の状態になった楽譜を譜面台に置いた時、場合によってかなりの荷重がストッパーにかかることになるが、この可変ストッパー構造では、譜面からの力を受け止め耐えることができる。また、必要の無い時には背面部１の開口部Ｈを通して譜面台の背後にストッパー部３を仕舞うことができる。
【００４０】
なお、図６（１）の可変ストッパー構造例では、底部２の背面部１側に揺動可能なストッパーを一体成型し、ストッパー使用時に、背面から前方向にストッパー３を切り起こすようにしたが他の構造を採ることができる。例えば、図６（２）に示すように、底部２自体の前方（手前）側における複数の所定領域に、左右方向の中間に前後方向に走る薄肉連結部（図示「一体成型支点」）で底部２と連結される揺動可能なストッパー部３を一体成型し、ストッパー使用時に、薄肉連結部を支点として左右方向にストッパー部３を切り起こす。この場合、底部２の所定領域に開口部Ｈが形成される。
【００４１】
また、図６（３）に示す例では、底部２の支持部４側に、底部２の前端縁と薄肉連結部で連結される揺動可能な係止片（爪）付きストッパー部３を一体成型し、その際、ストッパー部３の裏面（ストッパー使用時）には、左右方向からみてほぼ中央位置（左側或いは右側でもよい）から延びる係止片（爪）３ｔを形成すると共に、底部２の対応箇所には溝や孔、穴などの係止用受け部２ｔを形成する。ストッパー使用時には、薄肉連結部を支点としてストッパー３を下方から上方に切り起こし、ストッパー３の係止片３ｔを底部２の係止用受け部２ｔに係合（圧入）して、ストッパー３を底部２に一定の位置に固定する。この場合は、支持部４更には脚部５のストッパー対応領域に開口部Ｈが形成される。
【００４２】
〔譜面台構造の変形〕
この発明の一実施例による譜面台の構造は種々に変形することができる。構成要素１，２，４，５は、これまでの例では均一な板状にしたが、任意の形状を採用することができる。例えば、背面部１は、下部側になるほど板厚を大きくして楽譜支持を強化する構造にしてもよい。また、脚部５についても、溝や孔などの受け側（支持側）の形状に応じて任意の形状を採用することができ、複数の板状体を所定間隔で並べても、複数の柱状体を並べてもよい。さらに、支持体４を省略して底部２を充実した構造にすることもでき、図７は、この場合の譜面台構造例を示す。
【００４３】
図７に示される譜面台は、背面部１、底部２、ストッパー部３及び脚部５からなり、脚部５は背面部１及び底部２を直接支持する。図７（１）の譜面台構造は、図２と同様に上下の金型合わせを用いて、底部２及びストッパー部３のアンダーカット部ＵＣに相当する空間Ａを下金型の凸状部で補充することにより作製され、背面部１にのみ開口部Ｈが形成される。これに対して、図７（２）の譜面台構造は、開口部を設けない構造であり、図３或いは図４と同様のスライド金型ＳＤａ，ＳＤｂにより、底部２及びストッパー部３のアンダーカット部ＵＣに相当する空間Ａを補充して作製することができる。
【図面の簡単な説明】
【００４４】
【図１】従来技術による譜面台の構造例を示す。
【図２】この発明の一実施例による譜面台の第１の基本構造を示す。
【図３】この発明の一実施例による譜面台の第１の基本構造をスライド金型で実現する場合の金型構造例を示す。
【図４】この発明の一実施例による譜面台の第２の基本構造を示す。
【図５】この発明の一実施例による譜面台ストッパーの他の構造例を示す。
【図６】この発明の一実施例による譜面台ストッパーの可変構造例を示す。
【図７】この発明の一実施例による譜面台の更なる変形構造例を示す。
【符号の説明】
【００４５】
１，２  開口部（又は開口）Ｈを有する板状の背面部及び底部（主部）、
３：３ａ，３ｂ；３ｃ；３ｄ  ストッパー部（３ａ：支持部、３ｂ：突出部）、
４，５  連結部及び脚部、
ＵＣ  アンダーカット部、
ＳＤａ，ＳＤｂ  スライド金型、
Ａ  下金型の凸状部或いはスライド金型で形成されるアンダーカット相当空間。
【図１】
2008086379.tif 000003
【図２】
2008086379.tif 000004
【図３】
2008086379.tif 000005
【図４】
2008086379.tif 000006
【図５】
2008086379.tif 000007
【図６】
2008086379.tif 000008
【図７】
2008086379.tif 000009